(57)【要約】【課題】一度の動作でクリップを軸筒に装着でき、更に、軸筒とクリップとの係止部が破損し難く、装着力の低下を抑制することが可能なスライド式の多芯筆記具を提供すること。【解決手段】操作部を軸筒４の前端方向にスライドすることにより、筆記体の筆記部の突出を維持する出没機構と、軸筒４の後端部に付設したクリップ１４と、を具備し、クリップ１４が、クリップ片１４ａと、クリップ片１４ａを支持するクリップ台１４ｃと、クリップ台１４ｃの後端部に連設された尾冠１４ｂと、を一体に備え、クリップ台１４ｃが、軸筒４の外周面に形成された装着溝３ｄに挿入され、尾冠１４ｂが、外筒部１４ｅと後端部１４ｄから前方へ向って延出する内延部１４ｆとを備え、外筒部１４ｅと内延部１４ｆとを離間して形成すると共に、内延部１４ｆの内面に被係止部１４ｈが形成され、軸筒４の後端部に形成した係止部３ｇに、尾冠１４ｂの被係止部１４ｈを係止する。【選択図】図２
2019116038.tif 000002
【特許請求の範囲】
【請求項１】
軸筒内に配設したコイルスプリングにより、軸筒後端方向に弾発した複数の筆記体と、前記軸筒に設けた摺動溝に摺動自在に収納され、各筆記体の後部に連接した摺動体と、該摺動体に一体に形成又は付設し、前記摺動溝から外方に突出する操作部と、前記操作部を前記軸筒の前端方向にスライドすることにより、前記筆記体の筆記部の突出を維持する出没機構と、前記軸筒の後端部に付設したクリップと、を具備してなるスライド式の多芯筆記具において、
前記クリップが、軸方向に沿って延びるクリップ片と、該クリップ片を支持するクリップ台と、当該クリップ台の後端部に連設され円環状に形成した尾冠と、を一体に備え、
前記クリップ台が、前記軸筒の外周面に、軸方向に沿って延び、前記摺動溝と軸周方向の異なる位置に形成された装着溝に挿入され、
前記軸筒の後端部に外方へ向って突出する係止部が形成され、
前記クリップの尾冠が、外筒部と、該外筒部の内方に後端部から前方へ向って延出する内延部と、を備え、前記外筒部と前記内延部とを離間して形成すると共に、前記内延部の内面に内方へ向って突出する被係止部が形成され、
前記軸筒の係止部に、前記尾冠の被係止部を係止することで、前記クリップを該軸筒に装着したことを特徴とするスライド式の多芯筆記具。
【請求項２】
前記クリップ台の横断面形状が略三角形に形成され、略三角形の少なくとも二箇所の頂部に軸方向に沿って延びるレール部が形成され、
前記クリップ台のレール部が、前記装着溝の内側面に軸方向に延びるように形成されたレール溝に挿入されたことを特徴とする請求項１に記載のスライド式の多芯筆記具。
【請求項３】
前記クリップのクリップ片とクリップ台とを繋ぐ支持部が、前記尾冠の外周面に連設して形成されていることを特徴とする請求項１または２に記載のスライド式の多芯筆記具。
【発明の詳細な説明】
【技術分野】
【０００１】
本発明は、軸筒内に複数の筆記体を収容したスライド式の多芯筆記具に関する。
【背景技術】
【０００２】
多芯筆記具において、特開２００３−１１５８３号公報「スライド式の多芯筆記具」では、各筆記体の後部に操作部を設けた摺動体を連接し、操作部を軸筒の外方に突出させ、操作部を摺動体に着脱自在に装着したことにより、使用者の好みにあった筆記体に交換した際に、誤った筆記体の選択をすることなく、また操作部の形状や色柄も選択可能とした構成が開示されている。
【０００３】
また、特開２００７−３８６３５号公報「多芯筆記具」では、軸筒の後端に、摺動溝を後方に開口させる開口部を設け、前記開口部から、前記摺動体を、軸筒内から取り外し可能及び軸筒内に挿入可能に、蓋体を軸筒に設けたヒンジ部等の被係合部に、回動自在に装着した構成が開示されている。
【０００４】
前述したような、スライド式の多芯筆記具においては、ポケットなどへ挟着することを鑑みて、クリップを具備することが望まれており、更に、軸筒にスクリーン印刷やフィルム転写等により、色や図形、模様など軸筒に加飾を施すことが望まれている。しかしながら、軸筒後端部に、蓋体を係合する被係合部やクリップを一体に設けると、軸筒に加飾し難いという問題があった。
【０００５】
この問題を解決する技術として、特開２０１３−４９１９３号公報「スライド式の多芯筆記具」では、クリップがクリップ片と当該クリップ片を装着するクリップ台を備え、軸筒に形成した摺動溝と周方向の異なる位置に、長手方向に沿って延びる装着溝が形成され、クリップ台を軸筒の装着溝に着脱自在に挿入し、頭冠（尾冠）を軸筒の後部に装着することでクリップを軸筒に装着する構成が開示されている。この特開２０１３−４９１９３号公報の技術を用いることで、加飾を施した軸筒にクリップを後から装着できるため、軸筒に加飾を施すことが容易となる。
【先行技術文献】
【特許文献】
【０００６】
【特許文献１】特開２００３−１１５８３号公報
【特許文献２】特開２００７−３８６３５号公報
【特許文献３】特開２０１３−４９１９３号公報
【発明の開示】
【発明が解決しようとする課題】
【０００７】
しかしながら、特開２０１３−４９１９３号公報「スライド式の多芯筆記具」では、クリップが軸筒から抜けないようにするためには、頭冠（尾冠）を軸筒の後部に装着して装着溝を塞ぐことでクリップ台の後退を阻止することなどが必要である。このため、クリップを軸筒に装着する際、クリップ台と頭冠（尾冠）とを別部品で構成していることで、クリップを挿入する動作と、クリップを固定するために頭冠を取り付ける動作の２動作が必要となり、装着に手間がかかるという課題があった。
【０００８】
一方、多芯筆記具は、軸筒の内部に複数の筆記体を収納しているため、軸筒の外径が太くなる傾向があるが、軸筒の外径が太くなり過ぎると筆記時に使用者が手で把持し難くなるため、軸筒の外径はなるべく細く形成する必要がある。しかしながら、軸筒内には複数の筆記体を収納するスペースが必要なため、軸径を細く形成するには各部品の肉厚を薄く形成する必要があった。このため、軸筒を細く形成しようとすると、各部品の耐久性が低下し、携帯時における他の物品との接触、又は、床への落下等による衝撃を受けた際、複雑な構造を備えた係止部や螺合するための螺子部などが破損する虞があり、特に軸筒後端に取り付けられる頭冠（尾冠）は、端部にあるため他の物品や床への落下時に接触箇所となり易く、破損して係止や螺合が外れると軸筒内部の部品が外部へ出てしまう可能性があるため、衝撃を受けても軸筒から外れ難くすることが望まれていた。  
【０００９】
本発明は、前記問題を鑑みてなされたものであって、一度の動作でクリップを軸筒に装着でき、更に、携帯時における他の物品と接触、又は、床への落下等による衝撃を受けても、軸筒とクリップとの係止部が破損し難く、軸筒に対するクリップの装着力が低下することを抑制可能なスライド式の多芯筆記具を提供することを目的とした。
【課題を解決するための手段】
【００１０】
本発明は、
「１．軸筒内に配設したコイルスプリングにより、軸筒後端方向に弾発した複数の筆記体と、前記軸筒に設けた摺動溝に摺動自在に収納され、各筆記体の後部に連接した摺動体と、該摺動体に一体に形成又は付設し、前記摺動溝から外方に突出する操作部と、前記操作部を前記軸筒の前端方向にスライドすることにより、前記筆記体の筆記部の突出を維持する出没機構と、前記軸筒の後端部に付設したクリップと、を具備してなるスライド式の多芯筆記具において、
前記クリップが、軸方向に沿って延びるクリップ片と、該クリップ片を支持するクリップ台と、当該クリップ台の後端部に連設され円環状に形成した尾冠と、を一体に備え、
前記クリップ台が、前記軸筒の外周面に、軸方向に沿って延び、前記摺動溝と軸周方向の異なる位置に形成された装着溝に挿入され、
前記軸筒の後端部に外方へ向って突出する係止部が形成され、
前記クリップの尾冠が、外筒部と、該外筒部の内方に後端部から前方へ向って延出する内延部と、を備え、前記外筒部と前記内延部とを離間して形成すると共に、前記内延部の内面に内方へ向って突出する被係止部が形成され、
前記軸筒の係止部に、前記尾冠の被係止部を係止することで、前記クリップを該軸筒に装着したことを特徴とするスライド式の多芯筆記具。
２．前記クリップ台の横断面形状が略三角形に形成され、略三角形の少なくとも二箇所の頂部に軸方向に沿って延びるレール部が形成され、
前記クリップ台のレール部が、前記装着溝の内側面に軸方向に延びるように形成されたレール溝に挿入されたことを特徴とする前記１項に記載のスライド式の多芯筆記具。
３．前記クリップのクリップ片とクリップ台とを繋ぐ支持部が、前記尾冠の外周面に連設して形成されていることを特徴とする前記１項または２項に記載のスライド式の多芯筆記具。」である。
【００１１】
本発明によれば、クリップがクリップ片とクリップ台と尾冠とを備え、クリップ台を軸筒の装着溝に挿入しつつ尾冠の被係止部を軸筒の係止部に係止することで、一度の動作でクリップを軸筒に装着できる。更に、クリップの尾冠は、外筒部と、該外筒部の内方に後端部から前方へ向って延出する内延部と、を備え、内延部の被係止部と軸筒の係止部とを係止することで該軸筒に装着されるため、携帯時における他の物品と接触、又は、床への落下等による衝撃を受けても、その衝撃が内延部に設けた被係止部にまで伝わることを防止でき、安定した装着状態を維持することができる。
【００１２】
また、尾冠の外筒部と内延部とを離間して形成することで、外筒部に受けた衝撃が内延部に伝達されるのを防止すると共に、内延部に形成した被係止部と軸筒の係止部とを係止する際、外筒部と内延部との隙間分、内延部が外側に広がることができることから、被係止部を係止部に係止するこが容易になる。
【００１３】
更に、尾冠の後端部から前方へ延びる内延部は、周状に形成してもよく、切欠部によって複数に分断した状態で形成してもよい。尚、内延部を複数に分断する場合、尾冠の内延部が撓み易くなるため、内延部の被係止部と軸筒の係止部とを係止することが容易となる。
【００１４】
また、クリップのクリップ台の横断面形状を略三角形に形成し、略三角形の少なくとも２つの頂部にレール部を設け、クリップ台のレール部が軸筒の装着溝の内側面に軸方向に延びるように形成したレール溝に挿入されるよう構成することが好ましく、この場合、クリップ台の断面形状を略三角形にすることで当該クリップ台の曲げ強度が増大し、クリップのクリップ片と軸筒との間にノートやポケット等を挟んで狭持させた際、クリップ台が変形し難くなることでクリップによる狭持力が増加する効果を奏する。更に、レール部をレール溝に挿入することで、クリップ片に掛かった応力を、クリップ台を介して装着溝全体で支えると共に、クリップ台が装着溝から外れてしまうことを防止できる。
【００１５】
また、クリップ片とクリップ台とを繋ぐ支持部が、尾冠の外周面に連設した状態で形成することが好ましく、この場合、クリップ片と軸筒との間にノートやポケット等を挟んで狭持した際に、クリップ台に掛かる応力を尾冠にも振り分けることができる。このため、クリップの耐久性が向上する効果を奏する。
【発明の効果】
【００１６】
本発明により、一度の動作でクリップを軸筒に装着でき、更に、携帯時における他の物品と接触、又は、床への落下等による衝撃を受けても、軸筒とクリップとの係止部が破損し難く、軸筒に対するクリップの装着力が低下することを抑制可能なスライド式の多芯筆記具を提供することができた。
【図面の簡単な説明】
【００１７】
【図１】実施例１のスライド式の多芯筆記具の外観図である。
【図２】図１のＡ−Ａ断面を示した断面図である。
【図３】図２のＢ−Ｂ断面を示した断面図である。
【図４】図２のＣ−Ｃ断面を示した拡大断面図である。
【図５】図２のＤ−Ｄ断面を示した拡大断面図である。
【図６】クリップの外観図である。
【図７】図６のＥ−Ｅ断面を示した拡大断面図である。
【図８】軸筒にクリップを装着する状態を説明するための説明図である。
【図９】図１の状態から、第一筆記体を前方へスライドさせ、前軸の前端開口部から第一ボールペンチップの前端を突出させた状態を示した縦断面図である。
【００１８】
次に図面を参照しながら、本発明のスライド式の多芯筆記具の実施例を説明するが、本発明は以下の実施形態に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１９】
実施例１
図１〜図７に示すスライド式の多芯筆記具１は、前軸２の雄螺子部２ａと、後軸３の雌螺子部３ａと、を螺合により着脱自在に取り付けた軸筒４内に、複数本（３本）の筆記体（第一筆記体５、第二筆記体６、第三筆記体７）が前後方向に移動可能に収容されている。また、筆記体の後部には、当該筆記体をスライドさせるための操作部となり、各筆記体のインキ収容筒（第一インキ収容筒５１、第二インキ収容筒６１、第三インキ収容筒７１）に収容した筆記具用油性インキと同色の摺動体（第一摺動体８、第二摺動体９、第三摺動体１０）を配設してあり、各々の筆記体は、コイルスプリング（第一コイルスプリング１１、第二コイルスプリング１２、第三コイルスプリング１３）により後方に弾発してある。そして、軸筒４の後部には、クリップ片１４ａと尾冠１４ｂを備えたクリップ１４が装着され、３本の筆記体を軸筒４内に配設した従来公知の出没機構を備えたスライド式の多芯筆記具１を形成してある。
【００２０】
筆記体（第一筆記体５、第二筆記体６、第三筆記体７）について詳述すると、図２及び図３に示すように、インキ収容筒（第一インキ収容筒５１、第二インキ収容筒６１、第三インキ収容筒７１）の先端部に、φ０．７ｍｍのボールを回転自在に抱持したボールペンチップ（第一ボールペンチップ５２、第二ボールペンチップ６２、第三ボールペンチップ７２）からなる筆記部を装着してある。また、インキ収容筒（第一インキ収容筒５１、第二インキ収容筒６１、第三インキ収容筒７１）の内部には、各々異なる筆記具用の油性インキを収容してある。
【００２１】
前軸２は、筒状に形成してあり、前部にはボールペンチップ（第一ボールペンチップ５２、第二ボールペンチップ６２、第三ボールペンチップ７２）が出没可能な前部開口部２ｂを形成してある。また、前軸２の外周面には２色成形によって、常温でゴム弾性を有する熱可塑性エラストマーを用いてグリップ部２ｃを形成してある。そして、グリップ部２ｃの表面には網目状の溝部２ｄが形成され、グリップ部２ｃを手で把持した際に、溝部２ｄにより滑り難くなるよう構成してある。
【００２２】
後軸３の後部には、前後方向に延び細長状に形成された３本の摺動溝３ｂ（第一摺動溝３ｂ１、第二摺動溝３ｂ２、第三摺動溝３ｂ３）を備えており、互いに、１２０度間隔に形成すると共に、摺動溝３ｂの後方は開口した状態で形成してある。また、後軸３の後端部は略円筒状に形成してあり、後軸３の外面には予めフィルム転写を施してある。
尚、後軸３にフィルム転写する際、後軸３の外周面３ｃには外方へ突出する突起がない為、フィルム転写を容易に行うことができた。
【００２３】
後軸３の内部には、略円筒状の基部１５ａを備えたスプリング支持部１５を固着してある。このスプリング支持部１５の基部１５ａには、３本の筆記体（第一筆記体５、第二筆記体６、第三筆記体７）が挿通される３個の内孔が軸方向に貫設され、スプリング支持部１５の基部１５ａと、各々の摺動体（第一摺動体８、第二摺動体９、第三摺動体１０）と、の間には、コイルプリング（第一コイルスプリング１１、第二コイルスプリング１２、第三コイルスプリング１３）が配設され、各々の筆記体及び摺動体を後方へ弾発してある。
【００２４】
また、後軸３の後部、且つ後軸３の第二摺動溝３ｂ２と第三摺動溝３ｂ３との間には、軸方向（長手方向）に沿って延びる凹状の装着溝３ｄを形成してある。この装着溝３ｄは、図４に示すように、横断面形状が軸心方向に一つの頂部を備えた略３角形状で形成してあり、装着溝３ｄの２箇所の頂部には軸方向（長手方向）に延びるレール溝３ｅを形成してある。更に、後軸３の後部には後方へ向って突出する円柱状の突起部３ｆが形成してあり、突起部３ｆの後部には、軸周方向に沿って延び、外方へ向って突出する係止部３ｇを形成してある。
【００２５】
クリップ１４は、図６及び図７に示すように、円筒状に形成された尾冠１４ｂと、尾冠１４ｂの前端から前方へ延びるように形成されたクリップ台１４ｃと、クリップ台１４ｃの外方側に、当該クリップ台１４ｃに連設され、且つ軸方向に延びる舌片状に形成されたクリップ片１４ａと、により構成されている。
【００２６】
尾冠１４ｂには、後端部１４ｄから前方へ延びるように形成された外筒部１４ｅと、外筒部１４ｅの内方に、後端部１４ｄから前方へ延びるように形成された内延部１４ｆと、を形成してある。また、内延部１４ｆは、図５のように、横断面形状が軸周方向に延びる周壁状に形成され、切欠部１４ｇにより分断された状態で形成してある。そして、内延部１４ｆの内周面の前端部には、内方へ向って突出するように被係止部１４ｈを形成してある。尚、外筒部１４ｅと内延部１４ｆは離間した状態で形成してある。
【００２７】
また、クリップ片１４ａは支持部１４ｉによってクリップ台１４ｃに支持されると共に、支持部１４ｉは尾冠１４ｂの外筒部１４ｅ（外周面）から連設して形成してあり、クリップ片１４ａをクリップ台１４ｃと尾冠１４ｂの両方で支持することで、クリップ片１４ａの強度と耐久性を向上させてある。
更に、クリップ片１４ａの前部内面には内方へ向って突出する突起部１４ｊが形成してあり、突起部１４ｊの内端は後軸３（軸筒）の外周面３ｃに常に当接するように、クリップ片１４ａを若干撓ませた状態で取り付けてある。
【００２８】
クリップ台１４ｃは、図４に示すように、横断面が略三角形状に形成してあり、両側端には軸方向に延びるように形成されたレール部１４ｋを形成してある。このレール部１４ｋを後軸３（軸筒４）の装着溝３ｄに形成されたレール溝３ｅに挿入し、後軸３とクリップ台１４ｃとをしっかりと係着させることで、クリップ台１４ｃに力が掛かっても装着溝３ｄのレール溝３ｅを介して装着溝３ｄ全体で支持するよう構成してある。また、クリップ台１４ｃの横断面を略三角形状に形成することで、クリップ台１４ｃ自体の曲げ強度を増加させてある。
【００２９】
ここで、図８を用いて、クリップ１４を後軸３に装着する状態を説明する。図８に示すように、クリップ１４のクリップ片１４ａを前方側にして、クリップ台１４ｃのレール部１４ｋと後軸３の装着溝３ｄのレール溝３ｅを合わせた状態でクリップ台１４ｃを装着溝３ｄに挿入し、そのまま前方へ押し込むと、レール溝３ｅに沿ってクリップ台１４ｃは引っ掛かることなく真っ直ぐに挿入され、更にクリップ１４の尾冠１４ｂの被係止部１４ｈが後軸３の係止部３ｇへ自然に案内される。そして、被係止部１４ｈが外方側に撓んで係止部３ｇを乗り越え、被係止部１４ｈと係止部３ｇとが係止することで、クリップ１４が後軸３に装着される。このため、一度の装着動作により、尾冠１４ｂを備えたクリップ１４を後軸３（軸筒４）に装着することができた。
【００３０】
また、クリップ１４を後軸３に装着した図１及び図２の状態で、クリップ片１４ａを外方へ撓ませ、クリップ片１４ａの突起部１４ｊと後軸３の外周面３ｈとの間で服のポケットやノート等を挟んで狭持させると、クリップ片１４ａに掛かった応力は、クリップ台１４ｃのレール部１４ｋと装着溝３ｄのレール溝３ｅを介して後軸３の装着溝３ｄ全体で支持される。そして、クリップ１４の支持部１４ｉが尾冠１４ｂの外周面から連設して形成され、更に、尾冠１４ｂは被係止部１４ｈにより後軸３の後部の係止部３ｇとも係止されているため、クリップ片１４ａに掛かった応力は、尾冠１４ｂを介して後軸３の後部でも支持されることとなり、後軸３全体に分散される。このため、クリップ片１４ａと後軸３の外周面３ｃとで服のポケットやノート等をしっかり挟んで狭持できると共に、クリップ片１４ａで繰り返し狭持させた際の耐久性を向上させることができた。
【００３１】
尚、前述した出没機構により、各々の筆記体のボールペンチップからなる筆記部を前軸２の前端開口部２ｂから突出させるには、例えば第一筆記体５の場合は、図１の状態から、第一摺動体８の操作部８ａを、第一摺動溝３ｂ１に沿って、前方（前軸２の前端開口部２ｂ方向）へスライドすることにより、第一摺動体８に形成した係合突起８ｂが後軸３内に形成した係止突部３ｈに係止される。これにより、第一筆記体５の筆記部である第一ボールペンチップ５２の前端を前軸２の前端開口部２ｂから突出した状態を維持して、筆記することができる図９の状態となる。
【００３２】
更に、図９の第一筆記体５の第一ボールペンチップ５２の前端が前軸２の前端開口部２ｂから突出を維持した状態で、第二摺動体９の操作部９ａを前方（前軸２の前端開口部２ｂ方向）にスライドすることで、第二摺動体９の解除突起９ｃ（図３参照）が第一摺動体８の係合突起８ｂと後軸３の係止突部３ｈとの係止状態を解除し、第一コイルスプリング１１の弾発力により第一筆記体５の第一ボールペンチップ５２を前軸２内に没入させることができる。
【００３３】
尚、本発明では、前述したように、クリップ１４の尾冠１４ｂの外筒部１４ｅの内方に、後端部１４ｄから前方へ延びる内延部１４ｆを形成し、内延部１４ｆと外筒部１４ｅとを離間して形成すると共に、内延部１４ｆに被係止部１４ｈを設け、後軸３（軸筒４）の係止部３ｇに被係止部１４ｈを係止することでクリップを後軸３（軸筒４）に装着している。このため、携帯時における他の物品と接触、又は、床への落下等により尾冠１４ｂに衝撃を受けても、外筒部と離間している内延部１４ｆの被係止部１４ｈには衝撃が伝わり難く、結果として、後軸３（軸筒４）の外径を細く形成しても、内延部１４ｆの被係止部１４ｈが破損することを防止でき、後軸３（軸筒４）からクリップ１４が外れることを防ぐことができた。
【００３４】
また、本実施例では、便宜上、ボールペンを３本配設してあるが、筆記体には、例えば、ボールペン、マーキングペン、シャープペンシル等が挙げられる。また、筆記体の本数は、２本以上であればよく、具体的には、２本、３本、４本、５本、６本等が挙げることができる。
【産業上の利用可能性】
【００３５】
本発明の多芯筆記具は、インキの種類に限定されることなく、スライド式の多芯筆記具として広く実施可能である。
【符号の説明】
【００３６】
１…スライド式の多芯筆記具、
２…前軸、２ａ…雄螺子部、２ｂ…前端開口部、２ｃ…グリップ部、２ｄ…溝部、
３…後軸、３ａ…雌螺子部、３ｂ…摺動溝、３ｂ１…第一摺動溝、
３ｂ２…第二摺動溝、３ｂ３…第三摺動溝、３ｃ…外周面、３ｄ…装着溝、
３ｅ…レール溝、３ｆ…突起部、３ｇ…係止部、３ｈ…係止突部、
４…軸筒、
５…第一筆記体、
５１…第一インキ収容筒、
５２…第一ボールペンチップ、
６…第二筆記体、
６１…第二インキ収容筒、
６２…第二ボールペンチップ、
７…第三筆記体、
７１…第三インキ収容筒、
７２…第三ボールペンチップ、
８…第一摺動体、８ａ…操作部、８ｂ…係止突起、
９…第二摺動体、９ａ…操作部、９ｃ…解除突起、
１０…第三摺動体、１０ａ…操作部、
１１…第一コイルスプリング、
１２…第二コイルスプリング、
１３…第三コイルスプリング、
１４…クリップ、１４ａ…クリップ片、１４ｂ…尾冠、１４ｃ…クリップ台、
１４ｄ…後端部、１４ｅ…外筒部、１４ｆ…内延部、１４ｇ…切欠部、
１４ｈ…被係止部、１４ｉ…支持部、１４ｊ…突起部、１４ｋ…レール部、
１５…スプリング支持部、１５ａ…基部。
【図１】
2019116038.tif 000003
【図２】
2019116038.tif 000004
【図３】
2019116038.tif 000005
【図４】
2019116038.tif 000006
【図５】
2019116038.tif 000007
【図６】
2019116038.tif 000008
【図７】
2019116038.tif 000009
【図８】
2019116038.tif 000010
【図９】
2019116038.tif 000011